(57)【要約】【課題】径方向に広がることを抑制できるコイルドウェーブスプリング及びこれを用いたドラグつまみを提供することにある。【解決手段】コイルドウェーブスプリング９は、第１巻部９１ａと、第２巻部９１ｂと、を備えている。第１巻部９１ａは、複数の第１谷部９１１ａ及び複数の第１山部９１２ａを周方向に交互に有する。第２巻部９１ｂは、各第１谷部９１１ａと対応する各第２山部９１２ｂ、及び各第１山部９１２ａと対応する各第２谷部９１１ｂを有する。また、第２巻部９１ｂは、第１巻部９１ａと連続して延びる。各第１山部９１２ａは、対応する各第２谷部９１１ｂと軸方向に間隔をあけて配置されている。各第１谷部９１１ａは、対応する各第２山部９１２ｂと接触している。各第１谷部９１１ａの頂点９１３ａは、対応する各第２山部９１２ｂの頂点９１４ｂと周方向においてずれている。【選択図】図１
2015043728.tif 000002
【特許請求の範囲】
【請求項１】
釣り用リールに用いられるコイルドウェーブスプリングであって、
複数の第１谷部及び複数の第１山部を周方向に交互に有する、一巻分の第１巻部と、
前記各第１谷部と対応する各第２山部、及び前記各第１山部と対応する各第２谷部を有し、前記第１巻部と連続して延びる一巻分の第２巻部と、
を備え、
前記各第１山部は、対応する前記各第２谷部と軸方向に間隔をあけて配置され、
前記各第１谷部は、対応する前記各第２山部と接触し、
前記各第１谷部の頂点は、対応する前記各第２山部の頂点と周方向においてずれている、
コイルドウェーブスプリング。
【請求項２】
前記各第１谷部と対応する各第３谷部、及び前記第１山部と対応する各第３山部を有し、前記第２巻部と連続して延びる一巻分の第３巻部をさらに備え、
前記各第３谷部は、対応する前記各第２山部と軸方向に間隔をあけて配置され、
前記各第３山部は、対応する前記各第２谷部と接触し、
前記各第３山部の頂点は、対応する前記各第２谷部の頂点と周方向においてずれている、
請求項１に記載のコイルドウェーブスプリング。
【請求項３】
平面視において、前記各第１谷部の頂点と当該コイルドウェーブスプリングの中心とを結んだ線と、対応する前記各第３谷部の頂点と前記中心とを結んだ線とがなす角度は、０度よりも大きく、３６０／２Ｎ度以下である、請求項２に記載のコイルドウェーブスプリング。
ここで、Ｎは、前記第１巻部における前記各第１谷部と前記各第１山部とを合わせた数である。
【請求項４】
側面視において、対応する前記各第１谷部の頂点と前記各第３谷部の頂点とを結んだ線と、軸方向に延びる直線と、がなす角度は、１０度以上３０度以下である、請求項２又は３に記載のコイルドウェーブスプリング。
【請求項５】
前記各第１谷部と前記各第１山部とは、周方向において等間隔に配置されている、請求項１から４のいずれかに記載のコイルドウェーブ。
【請求項６】
釣り用リールのリールユニットに回転可能に装着されるスプールの回転を制動するドラグ機構のドラグ力を調整するためのドラグつまみであって、
前記リールユニットに回転可能に設けられる操作部材と、
前記操作部材の回転によって、前記操作部材の回転軸方向に伸縮する、請求項１から５のいずれかに記載のコイルドウェーブスプリングと、
前記コイルドウェーブスプリングによる付勢力を受けて前記スプールにドラグ力を付与する受け部材と、
を備える、ドラグつまみ。
【発明の詳細な説明】
【技術分野】
【０００１】
本発明は、コイルドウェーブスプリング、及びドラグつまみに関するものである。
【背景技術】
【０００２】
釣り用リールの部品としてコイルスプリングが使用されている。例えば、スピニングリールのドラグつまみは、ドラグ力を付与するためにコイルスプリングを有している。このコイルスプリングは、円形断面の線材を螺旋状にすることによって形成されているため、圧縮時にコイルスプリングが径方向に湾曲するおそれがある。
【０００３】
上述した径方向への湾曲を防止するため、特許文献１では、特許文献２及び３に開示されるような断面が矩形状の線材を螺旋状にして形成されるコイルスプリングをドラグつまみに使用している。なお、このコイルスプリングは、周方向において波状に形成される、いわゆるコイルドウェーブスプリングである。
【先行技術文献】
【特許文献】
【０００４】
【特許文献１】特開２０１２−２０５５１７号公報
【特許文献２】特開２００２−３９２４３号公報
【特許文献３】実公平６−１０２２６号公報
【発明の概要】
【発明が解決しようとする課題】
【０００５】
上述したコイルドウェーブスプリングは、圧縮時において径方向に広がる。この結果、釣り用リールにおいて、コイルドウェーブスプリングが径方向に広がる分のスペースを確保しなければならないという問題が生じる。なお、この問題は、ドラグつまみ以外にコイルドウェーブスプリングを用いた場合であっても同様に生じる。
【０００６】
本発明の課題は、圧縮時に径方向に広がることを抑制できるコイルドウェーブスプリング及びこれを用いたドラグつまみを提供することにある。
【課題を解決するための手段】
【０００７】
本発明の第１側面に係るコイルドウェーブスプリングは、釣り用リールに用いられるコイルドウェーブスプリングである。コイルドウェーブスプリングは、一巻分の第１巻部と、一巻分の第２巻部と、を備えている。第１巻部は、複数の第１谷部及び複数の第１山部を周方向に交互に有する。第２巻部は、各第１谷部と対応する各第２山部、及び各第１山部と対応する各第２谷部を有する。また、第２巻部は、第１巻部と連続して延びる。各第１山部は、対応する各第２谷部と軸方向に間隔をあけて配置されている。各第１谷部は、対応する各第２山部と接触している。各第１谷部の頂点は、対応する各第２山部の頂点と周方向においてずれている。
【０００８】
上述したように構成されたコイルドウェーブスプリングは、第１谷部の頂点が、対応する各第２山部の頂点と周方向においてずれているため、圧縮時に径方向に広がることを抑制することができる。なお、このコイルドウェーブスプリングは、釣り用リールの制動部材の押圧に好ましくは用いられる。
【０００９】
好ましくは、コイルドウェーブスプリングは、一巻分の第３巻部をさらに備える。第３巻部は、各第１谷部と対応する各第３谷部、及び第１山部と対応する各第３山部を有する。また、第３巻部は、第２巻部と連続して延びる。各第３谷部は、対応する各第２山部と軸方向に間隔をあけて配置されている。各第３山部は、対応する各第２谷部と接触している。各第３山部の頂点は、対応する各第２谷部の頂点と周方向においてずれている。
【００１０】
この構成によれば、各第３山部の頂点は、対応する各第２谷部の頂点と周方向においてずれているため、コイルドウェーブスプリングが圧縮時に径方向に広がることを抑制することができる。
【００１１】
好ましくは、平面視において、各第１谷部の頂点と当該コイルドウェーブスプリングの中心とを結んだ線と、対応する各第３谷部の頂点と中心とを結んだ線とがなす角度は、０度よりも大きく、３６０／２Ｎ度以下である。なお、Ｎは、第１巻部における各第１谷部と各第１山部とを合わせた数である。この構成によれば、コイルドウェーブスプリングが圧縮時に径方向に広がることをより抑制することができる。
【００１２】
好ましくは、側面視において、対応する各第１谷部の頂点と各第３谷部の頂点とを結んだ線と、軸方向に延びる直線と、がなす角度は、１０度以上３０度以下である。
【００１３】
この構成によれば、コイルドウェーブスプリングが圧縮時に径方向に広がることをより抑制することができる。
【００１４】
好ましくは、各第１谷部と各第１山部とは、周方向において等間隔に配置されている。この構成によれば、コイルドウェーブスプリングは、より安定した付勢力を提供することができる。
【００１５】
本発明の第２側面に係るドラグつまみは、釣り用リールのリールユニットに回転可能に装着されるスプールの回転を制動するドラグ機構のドラグ力を調整するためのドラグつまみである。このドラグつまみは、操作部材と、上述したいずれかのコイルドウェーブスプリングと、受け部材とを備えている。操作部材は、リールユニットに回転可能に設けられる。コイルドウェーブスプリングは、操作部材の回転によって、操作部材の回転軸方向に伸縮する。受け部材は、コイルドウェーブスプリングによる付勢力を受けてスプールにドラグ力を付与する。
【００１６】
この構成によれば、上述したように構成されたコイルドウェーブスプリングを使用しているため、ドラグつまみ内のスペースを有効に利用することができる。
【発明の効果】
【００１７】
本発明によれば、径方向に広がることを抑制できるコイルドウェーブスプリング及びこれを用いたドラグつまみを提供することができる。
【図面の簡単な説明】
【００１８】
【図１】スピニングリールの側面図。
【図２】スピニングリールの側面断面図。
【図３】スプールの側面断面図。
【図４】スプールの分解斜視図。
【図５】ドラグつまみの側面断面図。
【図６】ドラグつまみの分解斜視図。
【図７】コイルドウェーブスプリングの側面図。
【図８】コイルドウェーブスプリングの模式的な平面図。
【発明を実施するための形態】
【００１９】
以下、本発明の実施形態について図面を参照しつつ説明する。図１はスピニングリールの側面図、図２はスピニングリールの側面断面図を示す。なお、以下の説明において、「前」とは図１及び図２の左を示し、「後」とは図１及び図２の右を示し、「前後方向」とは図１及び図２の左右方向を意味する。
【００２０】
図１及び図２に示すように、スピニングリール１０は、ハンドル１と、リールユニット２と、ロータ３と、スプール４と、ドラグ機構５と、ドラグ発音機構６（図３参照）とを備えている。リールユニット２は、ハンドル１を回転可能に支持する。ロータ３は、スプール４に釣り糸を巻き付けるための部材である。このロータ３は、リールユニット２の前部に回転可能に支持されている。スプール４は、外周面に釣り糸を巻き取るものであり、ロータ３の前部に前後移動可能に配置される。なお、ハンドル１は、リールユニット２の左側と、リールユニット２の右側とのいずれにも装着可能である。ドラグ機構５及びドラグ発音機構６はスプール４内に収容される。
【００２１】
［リール本体の構成］
リールユニット２は、リール本体２ａと、蓋部材２ｂと、脚部２ｃとを有する。リール本体２ａは、開口２ｄを有する。蓋部材２ｂは、開口２ｄを塞ぐようにリール本体２ａに着脱可能に装着されている。脚部２ｃは、スピニングリール１０を竿に取り付けるための部分であり、リール本体２ａから斜め上前方に延びる。リール本体２ａ及び蓋部材２ｂは、例えばアルミニウム合金製とすることができる。リール本体２ａは、内部に空間を有しており、その空間内には、後述するロータ駆動機構７及びオシレーティング機構８が設けられる。
【００２２】
図２に示すように、ロータ駆動機構７は、ロータ３をハンドル１の回転に連動して回転させるための機構である。このロータ駆動機構７は、メインギア７１と、ピニオンギア７２とを有する。メインギア７１は、ハンドル１のハンドル軸１１が固定されるメインギア軸７１ａとともに回転する。
【００２３】
ピニオンギア７２は、メインギア７１に噛み合う。ピニオンギア７２は筒状に形成され、前後方向に延びている。ピニオンギア７２の前部はロータ３の中心部を貫通し、ナット１３によってロータ３と固定されている。また、ピニオンギア７２の中間部と後端部とは、リール本体２ａに間隔を隔てて装着された軸受１４ａ，１４ｂによって、リール本体２ａに回転可能に支持されている。
【００２４】
オシレーティング機構８は、スプール４を前後に移動させるための機構である。より詳細には、オシレーティング機構８は、スプール軸（回転軸の一例）１５を前後方向に移動させることによって、スプール４を同方向に移動させるための機構である。なお、スプール軸１５は、スプール４の中心部にドラグ機構５を介して連結されている。
【００２５】
オシレーティング機構８は、螺軸８１と、スライダ８２と、中間ギア８３とを有する。螺軸８１は、スプール軸１５の下方に平行に配置されている。スライダ８２は、螺軸８１に沿って前後方向に移動する。スライダ８２には、スプール軸１５の後端が回転不能に固定される。中間ギア８３は、螺軸８１の先端に固定されており、ピニオンギア７２と噛み合う。
【００２６】
スプール軸１５は、ピニオンギア７２を軸方向に貫通して配置される。スプール軸１５は、オシレーティング機構８によって、前後方向に往復移動する。スプール軸１５の中間部は、ナット１３内に装着された軸受１４ｃによって、軸方向移動可能に支持される。また、スプール軸１５の後部は、ピニオンギア７２の後部内周面によって、軸方向移動可能に支持される。
【００２７】
スプール軸１５は回転不能であり、ピニオンギア７２はスプール軸１５に対して相対的に回転可能である。スプール軸１５の表面には、無電解Ｎｉメッキが施されている。これにより、スプール軸１５がピニオンギア７２と相対回転しながら前後移動するときに、ピニオンギア７２にスプール軸１５がかじりつくのを防止する。
【００２８】
図３はスプールの側面断面図であり、図４はスプールの分解斜視図である。図３及び図４に示すように、スプール軸１５の前端部には、一対の係止面１５ａと、雄ねじ部１５ｂとが形成されている。一対の係止面１５ａは、互いに平行な面で構成されている。
【００２９】
〔ロータの構成〕
図２に示すように、ロータ３は、円筒部３０と、第１ロータアーム３１と、第２ロータアーム３２とを有する。第１ロータアーム３１及び第２ロータアーム３２は、円筒部３０の側方に互いに対向して設けられている。円筒部３０、第１ロータアーム３１、及び第２ロータアーム３２は、一体的に成形される。
【００３０】
円筒部３０の前部には前壁３０ａが形成され、この前壁３０ａの中央部にはボス部３０ｂが設けられる。ボス部３０ｂの中心部には貫通孔が形成され、この貫通孔をピニオンギア７２の前部、及びスプール軸１５が貫通する。前壁３０ａの前部にはナット１３が配置され、このナット１３によって、ピニオンギア７２の前部にロータ３が固定される。
【００３１】
第１ロータアーム３１は、円筒部３０から外方に向けて凸状に湾曲して前方へと延びる。第１ロータアーム３１の先端部には、第１ベール支持部材３３が揺動可能に装着される。第１ベール支持部材３３の先端部には、釣り糸をスプール４に案内するためのラインローラ３４が装着される。
【００３２】
第２ロータアーム３２は、円筒部３０から外方に凸に湾曲して前方に延びる。第２ロータアーム３２の先端部には、第２ベール支持部材３５が揺動可能に装着される。ラインローラ３４と第２ベール支持部材３５との間には、線材を略Ｕ状に湾曲させたベール３６が固定される。これらの第１ベール支持部材３３、第２ベール支持部材３５、ラインローラ３４、及びベール３６によって、ベールアーム３７は構成される。ベールアーム３７は、図１に示す糸案内姿勢とそれから反転した糸開放姿勢との間で揺動可能である。
【００３３】
ロータ３の円筒部３０の内部にはロータ３の逆転を禁止したり許可したりするための逆転防止機構３８が配置される。逆転防止機構３８は、ワンウェイクラッチ３８ａと、切換レバー（図示省略）とを有している。ワンウェイクラッチ３８ａは、内輪が遊転するローラ型である。切換レバーを操作することによって、ワンウェイクラッチ３８ａを作動状態（逆転禁止状態）と非作動状態（逆転許可状態）とに切り換えることができる。
【００３４】
〔スプールの構成〕
図２に示すように、スプール４は、第１ロータアーム３１と第２ロータアーム３２との間に配置され、スプール軸１５の前端部に装着される。図３に示すように、スプール４は、スプール本体４１と、スプールリング４２と、リング固定部材４３と、ドラグ収納筒部４４と、支持筒部４５とを有している。
【００３５】
スプール本体４１は、例えばアルミニウム合金製である。スプール本体４１は、糸巻胴部４ａと、支持壁部４ｂと、軸支部４ｃと、後フランジ部４ｄと、円筒部４ｅと、前フランジ部４ｆと、を有している。スプール本体４１の内部には、後述するドラグ機構５と、ドラグ発音機構６とが収容される。
【００３６】
糸巻き胴部４ａは、釣り糸が巻き付けられる部分である。糸巻き胴部４ａは円筒状の部分であり、糸巻胴部４ａの中心軸はスプール軸１５と実質的に一致する。支持壁部４ｂは、円板状であって、糸巻き胴部４ａの内周面に一体的に形成されている。軸支部４ｃは、筒状であって、支持壁部４ｂの内周側に形成されている。
【００３７】
後フランジ部４ｄは、糸巻き胴部４ａの後端から径方向に延びている。円筒部４ｅは、円筒状であって、後フランジ部４ｄの外周縁から後方に延びている。この円筒部４ｅの内側にロータ３の円筒部３０が配置される。
【００３８】
前フランジ部４ｆは、糸巻胴部４ａの前端から径方向に延びている。前フランジ部４ｆの外周面には、金属製のスプールリング４２が装着されている。このため、釣り糸を糸巻き胴部４１からスムーズに放出することができる。なお、スプールリング４２の外周面は、前方に向かって径が大きくなる傾斜面となっている。スプールリング４２は、リング固定部材４３によって前フランジ部４ｆに固定される。リング固定部材４３は、前フランジ部４ｆから前方に突出する筒状の雌ねじ部４ｇに螺合する。
【００３９】
図３及び図４に示すように、ドラグ収納筒部４４は、ドラグ機構５を収納するための部材であり、支持壁部４ｂに装着されている。ドラグ収納筒部４４は、支持壁部４ｂの前方に配置されている。また、ドラグ収納筒部４４は、スプール本体４１と一体的に回転可能である。
【００４０】
ドラグ収納筒部４４の内部には、ドラグ機構５の後述する摩擦部５２が収納される。ドラグ収納筒部４４は、周方向に間隔をあけて形成される複数（たとえば、８つ）の半円形の係止凹部４４ａを内周面に有する。また、スプール本体４１の支持壁部４ｂには、複数（例えば４つ）の係合孔４ｈが周方向に間隔をあけて形成されている。この各係合穴４ｈには、ドラグ収納筒部４４の後面に形成された複数（例えば４つ）の係合突起４４ｂの各々が係合する。これによって、ドラグ収納筒部４４は、スプール本体４１と一体回転する。
【００４１】
支持筒部４５は、ドラグ収納筒部４４の前方に配置されている。また、支持筒部４５は、軸支部４ｃと協働して、スプール本体４１をスプール軸１５に対して回転可能に支持する。詳細には、支持筒部４５は、装着筒部４５ａと、円形壁部４５ｂと、軸支部４５ｃとを有している。装着筒部４５ａは、糸巻き胴部４ａの内周面に嵌合する。円形壁部４５ｂは、装着筒部４５ａの内周面に一体的に形成される。軸支部４５ｃは、筒状であって、円形壁部４５ｂの内周側に形成されている。装着筒部４５ａの前側外周面４５ｄは、他の外周面よりも大径に形成されており、糸巻き胴部４ａの内周面に嵌合する。この前側外周面４５ｄには環状溝４５ｅが形成されており、Ｏリング４６が環状溝４５ｅ内に装着されている。これにより、糸巻き胴部４ａと支持筒部４５との隙間から液体が支持筒部４５の後方へ浸入するのを防止するができる。
【００４２】
支持筒部４５の後面は、ドラグ収納筒部４４の前面に接触する。支持筒部４５は、その前方でスプール４内部に装着される線材製の抜け止めばね４７によって、ドラグ収納筒部４４とともに抜け止めされる。抜け止めばね４７は、スプール本体４１の前面とリング固定部材４３の後面との間に保持される。
【００４３】
スプール軸１５の外周面には、第１支持部１７及び第２支持部１８が嵌め込まれる。この第１支持部１７及び第２支持部１８には２つの軸受１４ｄ，１４ｅが装着される。これによって、スプール４をスプール軸１５に対して回転可能に支持する。
【００４４】
第１支持部１７は、スプール軸１５に回転可能に装着される。第１支持部１７は、鍔部１７ａと、筒部１７ｂとを有する。筒部１７ｂは円筒状であって、鍔部１７ａは筒部１７ｂの後端より径方向に延びている。
【００４５】
第１支持部１７は、ドラグつまみ５１と摩擦部５２との間に、両者に接触して配置されている。第１支持部１７の筒部１７ｂの外周面には、軸受１４ｄの内輪がカシメ固定される。軸受１４ｄの外輪は、支持筒部４５の軸支部４５ｃに装着される。
【００４６】
第２支持部１８は、スプール軸１５の係止面１５ａの後部に固定される。第２支持部１８は、小径部１８ａと大径部１８ｂとを有する大小二段の段付き筒状の部材である。小径部１８ａには、軸受１４ｅの内輪が装着される。軸受１４ｅの外輪は、スプール本体４１の軸支部４ｃに装着される。
【００４７】
第２支持部１８の大径部１８ｂには、一対の第１係止面１８ｃと、一対の第２係止面１８ｄが形成されている。一対の第１係止面１８ｃは、互いに平行な面で構成されている。また、一対の第２係止面１８ｄは、互いに平行な面で構成されている。各第１係止面１８ｃが延びる方向と、各第２係止面１８ｄが延びる方向とは直交する。なお、第２支持部１８は、止めねじ１６によって、スプール軸１５に回転不能に固定される。
【００４８】
〔ドラグ機構の構成〕
ドラグ機構５は、スプール４の糸繰り出し方向への回転を制動してスプール４にドラグ力を作用させるための機構である。図３及び図４に示すように、ドラグ機構５は、ドラグつまみ５１と、摩擦部５２とを備える。
【００４９】
〔ドラグつまみの構成〕
ドラグつまみ５１は、図５及び図６に示すように、操作部材５３、コイルドウェーブスプリング９、及び受け部材５４を備える。また、ドラグつまみ５１は、連結部材５５と、第１シール部材５６と、第２シール部材５７と、つまみ発音機構５８と、をさらに備える。
【００５０】
操作部材５３は、受け部材５４に対向して配置され、受け部材５４と相対回転可能に設けられる。操作部材５３は、リールユニット２に回転可能に設けられる部材である。具体的には、操作部材５３は、スプール軸１５に螺合している。この操作部材５３は、つまみ体２１と、ナット部２２とを有する。ナット部２２は、つまみ体２１に回転不能かつ軸方向移動可能に装着されている。また、ナット部２２は、スプール軸１５に螺合している。
【００５１】
つまみ体２１は、つまみ本体２３と、カバー部２４と、操作部２５と、を有する。つまみ本体２３の後面側からは、４本のボルト部材８０ａ〜８０ｄが挿入され，これらボルト部材８０ａ〜８０ｄがカバー部２４を貫通して操作部２５にねじ込まれる。これによって、カバー部２４と操作部２５がつまみ本体２３に固定される。
【００５２】
つまみ本体２３は、合成樹脂製であって、円板部２３ａと、突出部２３ｂとを有する。突出部２３ｂは、円板部２３ａよりも小径の筒状に形成される。突出部２３ｂは、円板部２３ａから後方に突出している。この突出部２３ｂ内に、受け部材５４の前部が収容されている。つまみ本体２３の内周部には、ナット部２２を収納するためのナット収納部２３ｃが形成される。ナット収納部２３ｃ内において、ナット部２２はつまみ本体２３に対して軸方向移動可能である。また、ナット部２２は、つまみ本体２３と一体的に回転する。
【００５３】
カバー部２４は、金属製であって、つまみ本体２３の前面に固定されている。カバー部２４は、つまみ本体２３の円板部２３ａの前面及び外周面の一部を覆うように形成される。カバー部２４の前面は、中心部分に向けて徐々に厚みが薄くなるように凹む。操作部２５は、カバー部２４の直径に沿って配置され、前方に突出する。
【００５４】
ナット部２２は、たとえば六角ナットであり、スプール軸１５の雄ねじ部１５ｂに螺合する。ナット部２２は、後面がコイルドウェーブスプリング９の前面と接触している。ナット部２２は、つまみ本体２３と一体回転することによって、スプール軸１５に沿って移動してコイルドウェーブスプリング９を伸縮させる。
【００５５】
コイルドウェーブスプリング９は、操作部材５３の回転によって、スプール軸１５方向に伸縮する。コイルドウェーブスプリング９は、操作部材５３と受け部材５４との間に配置される。なお、コイルドウェーブスプリング９は圧縮状態で配置されることが好ましい。
【００５６】
図７は、コイルドウェーブスプリング９の側面図である。図７に示すように、コイルドウェーブスプリング９は、断面が矩形状の線材を螺旋状とすることによって形成される。コイルドウェーブスプリング９の内径は、スプール軸１５の外径よりも大きく、コイルドウェーブスプリング９とスプール軸１５とは接触しない。このコイルドウェーブスプリング９は、バネ用ステンレス鋼材製とすることが好ましい。
【００５７】
また、コイルドウェーブスプリング９は、複数の巻部９１ａ〜９１ｊを有する。なお、巻部とは、コイルドウェーブスプリング９の一巻分の部分を意味する。例えば、本実施形態では、コイルドウェーブスプリング９の有効巻数が１０であるため、コイルドウェーブスプリング９は、１０個の巻部９１ａ〜９１ｊを有する。
【００５８】
第１巻部９１ａは、複数の第１谷部９１１ａと、複数の第１山部９１２ａと、を周方向に交互に有する。各第１谷部９１１ａと各第１山部９１２ａとは、周方向において等間隔に配置されている。第２巻部９１ｂは、第１巻部９１ａと連続して延びており、第１巻部９１ａの下方に位置する。第２巻部９１ｂは、複数の第２谷部９１１ｂと、複数の第２山部９１２ｂとを交互に有する。各第２谷部９１１ｂと各第２山部９１２ｂとは周方向において等間隔に配置されている。なお、各第２谷部９１１ｂは各第１山部９１２ａと対応しており、各第２山部９１２ｂは各第１谷部９１１ａと対応している。ここで、「対応する」とは、軸方向（図７の上下方向）から見た周方向における距離が最も近い位置にあることをいう。例えば、ある第２谷部９１１ｂは、周方向における距離が最も近い第１山部９１２ａと対応している。
【００５９】
各第１山部９１２ａは、対応する各第２谷部９１１ｂと軸方向において間隔をあけて配置されている。また、各第１谷部９１１ａは、対応する各第２山部９１２ｂと接触している。また、各第１谷部９１１ａの頂点９１３ａは、対応する各第２山部９１２ｂの頂点９１４ｂと周方向においてずれている。なお、このずれる周方向は同一方向である。例えば、各第１谷部９１１ａの頂点９１３ａは、対応する各第２山部９１２ｂの頂点９１４ｂに対して、周方向において時計周りの方向にずれている。もしくは、各第１谷部９１１ａの頂点９１３ａは、対応する各第２山部９１２ｂの頂点９１４ｂに対して、周方向において反時計周りの方向にずれている。
【００６０】
また、第３巻部９１ｃは、第２巻部９１ｂと連続して延びており、第２巻部９１ｂの下方に位置する。第３巻部９１ｃは、複数の第３谷部９１１ｃと、複数の第３山部９１２ｃとを交互に有する。各第３谷部９１１ｃと各第３山部９１２ｃとは、周方向において等間隔に配置されている。各第３谷部９１１ｃは各第１谷部９１１ａと対応しており、各第３山部９１２ｃは各第１山部９１２ａと対応している。すなわち、各第３谷部９１１ｃは各第２山部９１２ｂと対応しており、各第３山部９１２ｃは各第２谷部９１１ｂと対応している。
【００６１】
各第３谷部９１１ｃは、対応する各第２山部９１２ｂと軸方向において間隔をあけて配置されている。また、各第３山部９１２ｃは、対応する各第２谷部９１１ｂと接触している。また、各第３山部９１２ｃの頂点９１４ｃは、対応する各第２谷部９１１ｂの頂点９１３ｂと周方向においてずれている。なお、このずれる周方向は同一方向である。例えば、各第３山部９１２ｃの頂点９１４ｃは、対応する各第２谷部９１１ｂの頂点９１３ｂに対して、周方向において時計周りの方向にずれている。もしくは、各第３山部９１２ｃの頂点９１４ｃは、対応する各第２谷部９１１ｂの頂点９１３ｂに対して、周方向において反時計周りの方向にずれている。
【００６２】
側面視において、対応する各第１谷部９１１ａの頂点９１３ａと各第３谷部９１１ｃの頂点９１３ｃとを結んだ線Ｌ１と、軸方向に延びる直線Ｌ２と、がなす角度αは、約１０度以上約３０度以下であることが好ましく、約２０度とすることがより好ましい。なお、側面視において、対応する各第１山部９１２ａの頂点９１４ａと各第３山部９１２ｃの頂点９１４ｃとを結んだ線と、軸方向に延びる直線Ｌ２と、がなす角度も、上述した角度αと同じとなる。
【００６３】
図８は、コイルドウェーブスプリング９の模式的な平面図である。図８に示すように、平面視において、線Ｌ３と線Ｌ４とがなす角度βは、０度よりも大きく、３６０／２Ｎ度以下とすることが好ましい。ここで、線Ｌ３は、各第１谷部９１１ａの頂点９１３ａと当該コイルドウェーブスプリング９の中心Ｃとを結んだ線である。また、線Ｌ４は、各第３谷部９１１ｃの頂点９１３ｃと中心Ｃとを結んだ線である。角度βは、平面視において、最も近い線Ｌ３と線Ｌ４とがなす角度である。また、上述したＮは、一巻き当たりの波の数、すなわち、第１巻部９１ａにおける各第１谷部９１１ａと第１山部９１２ａとを合わせた数である。
【００６４】
同様に、第４〜第１０巻部９１ｄ〜９１ｊも、それぞれ複数の谷部と山部とを有する。これらの構成は、上述した第１〜第３巻部９１ａ〜９１ｃと同じであるため、詳細な説明を省略する。
【００６５】
図５及び図６に示すように、受け部材５４は、コイルドウェーブスプリング９による付勢力を受けてスプール４にドラグ力を付与するための部材である。受け部材５４は，例えばアルミニウム合金等の金属製の部材であり、スプール軸１５に回転不能かつ軸方向移動可能に設けられる。この受け部材５４は、鍔部５４ａと、円筒部５４ｂとを有する。鍔部５４ａは、円筒部５４ｂの前端から径方向に延びている。円筒部５４ｂの後端には底面が形成されている。また、円筒部５４ｂの前面は開口しており、円筒部５４ｂ内にコイルドウェーブスプリング９の後部が収容されている。すなわち、円筒部５４ｂの底面とコイルドウェーブスプリング９の後面とが接触する。
【００６６】
円筒部５４ｂの底面には、スプール軸１５の一対の係止面１５ａと係止する係止スロット５４ｃが形成される。この係止スロット５４ｃが一対の係止面１５ａと係止しているため、受け部材５４はスプール軸１５に対して回転不能である。円筒部５４ｂの外周面には、環状溝５４ｄが形成されている。円筒部５４ｂの後面が第１支持部１７を介して摩擦部５２のドラグ座金５２ａに当接する。
【００６７】
連結部材５５は、弾性を有する金属線材を折り曲げて形成された部材である。連結部材５５は、略正方形の角に相当する４つの角部５５ａを有するＣ字状のばね部材である。連結部材５５の角部５５ａが、突出部２３ｂの内周面に形成された環状溝に係止される。これにより、連結部材５５は突出部２３ｂの内周面に装着される。連結部材５５は、角部５５ａの間の３つの円弧部５５ｂが鍔部５４ａの後面に接触することによって、受け部材５４を抜け止めする。
【００６８】
第１シール部材５６は、たとえば合成ゴム製の円板状の部材であり、ドラグつまみ５１とスプール４との隙間をシールする。第１シール部材５６は、環状溝５４ｄに装着される止め輪５９によって後方への移動を規制される。第１シール部材５６は、内周面が受け部材５４の円筒部５４ｂに装着され、外周部が支持筒部４５の装着筒部４５ａの内周面に接触する。
【００６９】
第１シール部材５６の内部には、たとえばステンレス合金製の円板状の補強板５６ａが埋設される。補強板５６ａは、第１シール部材５６の成形時に金型内に挿入され、インサート成形される。第１シール部材５６の外周部には、装着筒部４５ａの内周面に接触するリップ部５６ｂが形成される。リップ部５６ｂは前方に向けて傾斜する。また、第１シール部材５６の前面には、前方に突出する環状突起部５６ｃが形成される。この環状突起部５６ｃが第２シール部材５７の後面に接触する。また、第１シール部材５６のリップ部５６ｂの前面も第２シール部材５７の外周面の後端部に接触する。
【００７０】
第２シール部材５７は、たとえば、合成ゴム製の有底筒状の部材であり、受け部材５４と操作部材５３との隙間をシールする。第２シール部材５７は、第１シール部材５６と操作部材５３との間に配置される。第２シール部材５７は、接触部５７ａと、環状凹部５７ｂと、円板部５７ｃとを有する。接触部５７ａは、筒状であって、つまみ本体２３の突出部２３ｂの外周面に接触する。環状凹部５７ｂは、接触部５７ａの内周側に形成され突出部２３ｂの後端部と係合する。円板部５７ｃは、受け部材５４の円筒部５４ｂの外周面に装着される。
【００７１】
図６に示すように、つまみ発音機構５８は、音出し円板５８１と、打撃ピン５８２と、コイルバネ５８３と、を有している。
【００７２】
音出し円板５８１は、合成樹脂製の部材であり、その前面には、周方向に間隔を隔てて多数の音出し凹部５８１ａが形成される。音出し円板５８１の後面には、複数の連結突起５８１ｂが形成されている。この連結突起５８１ｂは、受け部材５４の鍔部５４ａに形成される複数の連結孔５４ｅに嵌合する。これによって音出し円板５８１は、受け部材５４に対して回り止めされる。
【００７３】
打撃ピン５８２は、つまみ本体２３に進退可能に装着されている。コイルバネ５８３は、打撃ピン５８２を音出し凹部５８１ａに向けて付勢している。打撃ピン５８２は、中央部分が大径で先端及び後端が小径でさらに先端が半球状に丸められたピンである。ドラグ操作時に操作部材５３と受け部材５４とが相対回転すると、打撃ピン５８２は、音出し凹部５８１ａとの衝突を繰り返して発音する。
【００７４】
〔摩擦部の構成〕
図４に示すように、摩擦部５２は、複数（例えば４枚）のドラグ座金５２ａ〜５２ｄを有する。ドラグ座金５２ａは、第１支持部１７に接触し、かつスプール軸１５に対して回転不能な金属製の円板部材である。ドラグ座金５２ｂは、スプール４と一体的に回転する金属製の円板部材である。ドラグ座金５２ｃは、ドラグ座金５２ａと同様にスプール軸１５に対して回転不能な金属製の円板部材である。ドラグ座金５２ｄは、スプール４及びスプール軸１５に対して回転可能なたとえばフェルト製又はグラファイト製の円板部材である。
【００７５】
ドラグ座金５２ａ，５２ｃの中心部には、係止スロット５２ｅがそれぞれ形成される。各係止スロット５２ｅは、スプール軸１５の一対の係止面１５ａに係合する。ドラグ座金５２ｂの外周面には、径方向外方に突出する複数（たとえば８つ）の耳部５２ｆが形成される。この各耳部５２ｆは、ドラグ収納筒部４４の係止凹部４４ａに係止されている。これによって、ドラグ座金５２ｂは、スプール４と一体的に回転する。
【００７６】
ドラグ座金５２ａ〜５２ｄは、支持筒部４５を支持する第１支持部１７によって抜け止めされる。したがって、支持筒部４５の前方に配置される抜け止めばね４７を外さないと、ドラグ座金５２ａ〜５２ｄは着脱できない。
【００７７】
［ドラグ発音機構の構成］
ドラグ発音機構６は、スプール軸１５とスプール４とが相対回転すると発音する機構である。図４に示すように、ドラグ発音機構６は、第１発音部材６１と、第２発音部材６２とを有している。第１発音部材６１は、スプール４の後フランジ部４ｄの後面に装着されスプール４と一体回転する。第２発音部材６２は、第１発音部材６１に対して打撃を繰り返す部材である。
【００７８】
第１発音部材６１は、鍔付き円筒形状であり、内周面に円弧状の多数の音出し凹部６１ａが形成される金属製の部材である。第１発音部材６１の後面には銘版６３が配置され、この銘版６３とともに、第１発音部材６１は後フランジ部４ｄの後面にねじ止めされる。
【００７９】
第２発音部材６２は、２つの打撃ピン６２ａと、２つのばね部材６２ｂと、を有している。各打撃ピン６２ａは、音出し凹部６１ａに向けて進退する。各ばね部材６２ｂは、各打撃ピン６２ａを音出し凹部６１ａに向けて付勢する。打撃ピン６２ａは、収納部材６４に収納される。
【００８０】
収納部材６４は、収納本体部６４ａと、カバー６４ｂとを有する。収納本体部６４ａは、円筒状の部材であって、打撃ピン６２ａを進退可能に収納する２つの収納溝６４ｃを有する。カバー６４ｂは、収納本体部６４ａにねじ止めされて収納溝６４ｃを塞ぐ。また、カバー６４ｂは、第２支持部１８と係合する。詳細には、カバー６４ｂの内周面には、第２係止面１８ｄに係合する係止スロット６４ｄが形成されている。収納部材６４と、スプール４の支持壁部４ｂとの間にはワッシャ１０１が配置される。
【００８１】
カバー６４ｂの後面には、３枚のスプール位置調整ワッシャ１０２と、２枚の規制ワッシャ１０３，１０４とが装着される。各スプール位置調整ワッシャ１０２は、第２支持部１８の第１係止面１８ｃに係合する。また、各スプール位置調整ワッシャ１０２は、たとえば合成樹脂製である。各規制ワッシャ１０３，１０４は、スプール４の後方への移動を規制する。各規制ワッシャ１０３，１０４は、スプール軸１５の一対の係止面１５ａに係合する係止スロット１０３ａ，１０４ａが内周部に形成され、スプール軸１５に対して回転不能である。規制ワッシャ１０４は、段付きワッシャであり、規制ワッシャ１０３とで第３シール部材１０５を保持する。第３シール部材１０５の外周部は、第１発音部材６１の内周面に接触する。第３シール部材１０５は、スプール４の後面から摩擦部５２を含むスプール４内部への液体の流入を防止するために設けられる。
【００８２】
〔ドラグつまみの動作〕
釣りを行う前に魚の大きさや種類に合わせてスプール４の回転を制動する制動力、すなわちドラグ力を調整する。ドラグ力を調整するには、ドラグつまみ５１を回す。ドラグつまみ５１をたとえば時計回りに回すと、スプール軸１５に螺合するナット部２２が後方向（図３、５の右方向）に進行する。コイルドウェーブスプリング９はナット部２２の進行によって、受け部材５４を後方向に付勢し、受け部材５４は、コイルドウェーブスプリング９による付勢力を受けてスプール４にドラグ力を付与する。より詳細には、受け部材５４が第１支持部１７を介して摩擦部５２を押圧し、摩擦部５２を構成する各ドラグ座金５２ａ〜５２ｄがそれぞれ摩擦力で係合し合うことでスプール４にドラグ力を付与する。なお、ドラグつまみ５１を時計回りに回転させるほど、ドラグ力は大きくなる。
【００８３】
［変形例］
以上、本発明の実施形態について説明したが、本発明はこれらに限定されるものではなく、本発明の趣旨を逸脱しない限りにおいて種々の変更が可能である。
【００８４】
変形例１
上記実施形態では、コイルドウェーブスプリング９は、各谷部と各山部とが等間隔に配置されているが、特にこれに限定されない。
【００８５】
変形例２
上記実施形態に係るコイルドウェーブスプリング９は、有効巻数が１０であるが、有効巻数は１０以外であってもよい。
【００８６】
変形例３
上記実施形態では、コイルドウェーブスプリング９をドラグつまみ５１に使用したが、コイルドウェーブスプリング９の用途は特にこれに限定されず、スピニングリール１０の他の部分に用いてもよい。また、上述したような構成のコイルドウェーブスプリング９を、両軸受リールなどの他の釣り用リールに用いることもできる。
【符号の説明】
【００８７】
２    リールユニット
５１    ドラグつまみ
５３    操作部材
５４    受け部材
９    コイルドウェーブスプリング
９１ａ    第１巻部
９１１ａ    第１谷部
９１２ａ    第１山部
９１ｂ    第２巻部
９１１ｂ    第２谷部
９１２ｂ    第２山部
【図１】
2015043728.tif 000003
【図２】
2015043728.tif 000004
【図３】
2015043728.tif 000005
【図４】
2015043728.tif 000006
【図５】
2015043728.tif 000007
【図６】
2015043728.tif 000008
【図７】
2015043728.tif 000009
【図８】
2015043728.tif 000010